(57)【要約】【課題】  屋外で洗濯物を乾燥させる場合でも、衣類が変色したり、劣化することがなく、より迅速に乾燥を行うことのできる物干し用庇を提供する。【解決手段】  紫外線透過防止フィルム２と、フィルム２を支持するフレーム３とを備える物干し用庇１。紫外線による衣類の変色等を防止し、フィルム２の下方の暖かい雰囲気で洗濯物を乾燥させることができる。フレーム３は、家屋１０の外壁１１への固定部３ａと、フィルム２を貼着し、固定部３ａから延設される上部フレーム部３ｂと、固定部３ａから延設され、上部フレーム部３ｂを下方から支持する下部フレーム部３ｃとで構成される。上部フレーム部３ｂの自由端部近傍を、下方に向けて徐々に湾曲させることが好ましい。フレーム３の家屋１０の外壁１１への取付強度よりも、フィルム２のフレーム３への取付強度を小さくすることが好ましい。【選択図】  図１
0003115596.tif 000002
【実用新案登録請求の範囲】
【請求項１】
紫外線透過防止フィルムと、
該紫外線透過防止フィルムを支持するフレームとを備えることを特徴とする物干し用庇。
【請求項２】
前記フレームは、
家屋の外壁への固定部と、
前記紫外線透過防止フィルムを貼着し、前記固定部から延設される上部フレーム部と、
前記固定部から延設され、前記上部フレーム部を下方から支持する下部フレーム部とを備えることを特徴とする請求項１に記載の物干し用庇。
【請求項３】
前記上部フレーム部の自由端部近傍を、下方に向けて徐々に湾曲させたことを特徴とする請求項１又は２記載の物干し用庇。
【請求項４】
前記フレームの前記家屋の外壁への取付強度よりも、前記紫外線透過防止フィルムの前記フレームへの取付強度を小さくしたことを特徴とする請求項１、２又は３記載の物干し用庇。
【考案の詳細な説明】
【技術分野】
【０００１】
本考案は、物干し用庇に関し、特に、衣類の変色、劣化を防止し、迅速に洗濯物を乾燥させることのできる物干し用庇に関する。
【背景技術】
【０００２】
従来、洗濯した衣類等を乾燥させる際には、屋外、屋上等で太陽光及び風を利用したり、家屋の室内に干したり、乾燥機を用いたり、浴室を乾燥室として利用することも行われている。
【考案の開示】
【考案が解決しようとする課題】
【０００３】
しかし、乾燥機を使用したり、浴室を乾燥室として利用すると、電気エネルギーを消費することとなる。一方、室内干しを行うと、完全に洗濯物が乾くまでに時間がかかるなどの問題があった。また、屋外、屋上等で太陽光等を利用すると、洗濯物を短時間で乾燥させることができるが、紫外線により衣類が変色したり、劣化するという問題があった。
【０００４】
そこで、本考案は、上記問題点に鑑みてなされたものであって、屋外で洗濯物を乾燥させる場合でも、衣類が変色したり、劣化することがなく、より迅速に乾燥を行うことのできる物干し用庇を提供することを目的とする。
【課題を解決するための手段】
【０００５】
上記目的を達成するため、本考案は、物干し用庇であって、紫外線透過防止フィルムと、該紫外線透過防止フィルムを支持するフレームとを備えることを特徴とする。
【０００６】
そして、本考案によれば、紫外線透過防止フィルムを通過した太陽光が洗濯物に照射されるため、紫外線による衣類の変色、劣化を防止することができる。また、これに加え、紫外線透過防止フィルムによって、庇近傍の空気の上方への流れが規制されるため、紫外線透過防止フィルムの下方の、太陽によって暖められた暖かい空気が上方に逃げることがなく、暖かい雰囲気で洗濯物を乾燥させることができ、乾燥に要する時間を短縮することができる。特に、冬場にはこの時間短縮効果が大きい。
【０００７】
前記物干し用庇において、前記フレームを、家屋の外壁への固定部と、前記紫外線透過防止フィルムを貼着し、前記固定部から延設される上部フレーム部と、前記固定部から延設され、前記上部フレーム部を下方から支持する下部フレーム部とで構成することができる。
【０００８】
また、前記上部フレーム部の自由端部近傍を、下方に向けて徐々に湾曲させることができる。これによって、庇近傍の空気の上方への流れをより効果的に規制することができ、洗濯物の乾燥時間をより短くすることができる。
【０００９】
さらに、前記物干し用庇において、前記フレームの前記家屋の外壁への取付強度よりも、前記紫外線透過防止フィルムの前記フレームへの取付強度を小さくすることができる。これによって、強風が吹いた場合でも、前記物干し用庇が損傷することがなく、紫外線透過防止フィルムのみが剥がれるに過ぎない。
【考案の効果】
【００１０】
以上のように、本考案によれば、屋外で洗濯物を乾燥させる場合でも、衣類が変色したり、劣化することがなく、迅速に乾燥を行うことのできる物干し用庇を提供することができる。
【考案を実施するための最良の形態】
【００１１】
図１は、本考案にかかる物干し用庇の一実施の形態を示し、この物干し用庇１は、大別して、紫外線透過防止フィルム２と、このフィルム２を支持するフレーム３とで構成される。
【００１２】
紫外線透過防止フィルム２は、例えば、３８０ｎｍ以下の紫外線の透過を防止することのできる高性能農業用ＰＯフィルム（シーアイ化成株式会社製「テキナシ５ＵＶ」等）を使用することができる。
【００１３】
フレーム３は、家屋１０の外壁１１への固定部３ａと、紫外線透過防止フィルム２を貼着し、固定部３ａから延設される上部フレーム部３ｂと、固定部３ａから延設され、上部フレーム部３ｂを下方から支持する下部フレーム部３ｃからなる。これらの部材３ａ〜３ｃは、互いに図示しないブラケット等を用いて連結される。また、上部フレーム部３ｂの自由端部近傍は、下方に向けて徐々に湾曲している。これらの部材３ａ〜３ｃは、軟鉄等の金属製とすることができる。
【００１４】
紫外線透過防止フィルム２は、フレーム３の上部フレーム部３ｂに装着する際に、ばね等を用いた公知の装着構造を介して装着するが、この際、紫外線透過防止フィルム２の上部フレーム部３ｂへの取付強度を、フレーム３の家屋１０の外壁１１への取付強度よりも小さくする。これによって、強風が吹いた場合でも、紫外線透過防止フィルム２のみがフレーム３から剥がれるだけで済み、物干し用庇１の損傷を防止することができる。
【００１５】
フレーム３の下部フレーム部３ｃの上方には、開閉自由のカーテン４が帳設される。暑く、洗濯物を干していない時には、このカーテン４を広げて光を遮断することができる。
【００１６】
次に、上記構成を有する物干し用庇１の動作について説明する。
【００１７】
家屋１０の外壁１１に物干し用庇１を取り付け、物干し用庇１の下方に洗濯物２０を干して乾燥させる。これにより、太陽光の紫外線が物干し用庇１を透過せず、洗濯物２０に照射されることがない。そのため、紫外線による衣類の変色、劣化を防止することができる。
【００１８】
また、物干し用庇１の紫外線透過防止フィルム２の下方の太陽光によって暖められた空気は、上方に移動しようとするが、紫外線透過防止フィルム２によって上方への移動を規制され、紫外線透過防止フィルム２の下方に留まることとなる。これによって、常に暖かい空気によって洗濯物２０が乾燥され、乾燥時間が短縮される。
【００１９】
尚、上記実施の形態においては、本発明にかかる物干し用庇１を建物１０の外壁１１に取り付ける場合を例にとって説明したが、外壁でなくとも、物干し用庇を形成することができれば、他の場所に取り付けることができ、建物の屋上やベランダ等に設置することもできる。
【図面の簡単な説明】
【００２０】
【図１】本発明にかかる物干し用庇の一実施の形態を示す図であって、（ａ）は正面図、（ｂ）は側面図である。
【符号の説明】
【００２１】
１  物干し用庇
２  紫外線透過防止フィルム
３  フレーム
３ａ  固定部
３ｂ  上部フレーム部
３ｃ  下部フレーム部
４  カーテン
１０  家屋
１１  外壁
２０  洗濯物
【図１】
0003115596.tif 000003